(57)【要約】【課題】２つのレンズを持った撮像装置において、ゴースト等が発生する影響をなくす撮像装置を提供すること。【解決手段】複数のレンズを持つ撮像装置において、それぞれのレンズからの画像を取得する撮像センサと、各々のセンサから画像を出力する出力手段と、各々のセンサからの出力を比較する比較手段と、比較した結果に基づき、特定の出力画像にのみ画像の一部の明るさに大きな差異がある場合に、他の出力画像の明るさを基に画像の一部の明るさを補正することを特徴とする構成とした。【選択図】図７
2013162505.tif 000002
【特許請求の範囲】
【請求項１】
複数のレンズを持つ撮像装置において、それぞれのレンズからの画像を取得する撮像センサと、各々のセンサから画像を出力する出力手段と、各々のセンサからの出力を比較する比較手段と、比較した結果に基づき、特定の出力画像にのみ画像の一部の明るさに大きな差異がある場合に、他の出力画像の明るさを基に画像の一部の明るさを補正することを特徴とする撮像装置。
【請求項２】
複数のレンズを持つ撮像装置において、それぞれのレンズからの画像を取得する撮像センサと、各々のセンサから画像を出力する出力手段と、各々のセンサからの出力を比較する比較手段と、撮影した画像を表示する表示部と、比較した結果に基づき、特定の出力画像にのみ画像の一部の明るさに大きな差異がある場合に複数の画像を前期表示部に同時に表示し、明るさの異なる部分を強調表示することを特徴とする撮像装置。
【請求項３】
複数のレンズを持つ撮像装置において、それぞれのレンズからの画像を取得する撮像センサと、各々のセンサから画像を出力する出力手段と、各々のセンサからの出力を比較する比較手段と、比較した結果に基づき、特定の出力画像にのみ画像の一部の明るさに大きな差異がある場合に、撮影者の意図しない画像ではないかとの警告を表示部に表示する撮像装置。
【発明の詳細な説明】
【技術分野】
【０００１】
本発明は、撮像装置に関し、特に３Ｄ撮影用に２つの交換レンズを備えた撮像装置に関するものである。
【背景技術】
【０００２】
従来、３Ｄ撮影を行うには、２台のカメラ及びリグを用いて位置合わせを行い、ミラー等により視差を合わせて撮影する。その際、位置合わせに非常に時間及び手間がかかるという問題がある。さらに、各々のボディやフード等により、カメラ同士を近づけられる距離に限界があり、視差の狭い映像をとることができないという問題がある。
【０００３】
上記問題を解決する手段として、カメラに２つのカメラユニットを内蔵した３Ｄ撮影装置も近年発売されている。この場合、撮影の位置合わせは及びボディ等に邪魔されずにレンズを近づけられる。その際におきやすいゴーストの対策として、２つのレンズペア間に伸縮自在の遮光手段をもうけるというものがある（特許文献１）。
【先行技術文献】
【特許文献】
【０００４】
【特許文献１】特許第３１０７９５９号明細書
【発明の概要】
【発明が解決しようとする課題】
【０００５】
しかしながら、上述の特許文献１に開示された従来技術では、伸縮自在のフードを付ける必要があり、コスト及び構成上非常に困難である。また、ペアのレンズ間に設置する必要があり、汎用性がない上に、撮像範囲の光線ケラレを防止するためにどうしてもレンズ間に配置できるフードの大きさが限られ、うまくゴーストを防ぐことができない。
【０００６】
そこで、本発明の目的は、２つのレンズを持った撮像装置において、ゴースト等が発生する影響をなくす撮像装置を提供することである。
【課題を解決するための手段】
【０００７】
複数のレンズを持つ撮像装置において、それぞれのレンズからの画像を取得する撮像センサと、各々のセンサから画像を出力する出力手段と、各々のセンサからの出力を比較する比較手段と、比較した結果に基づき、特定の出力画像にのみ画像の一部の明るさに大きな差異がある場合に、他の出力画像の明るさを基に画像の一部の明るさを補正することを特徴とする。
【発明の効果】
【０００８】
本発明によれば、２つのレンズを持った撮像装置において、ゴースト等が発生する影響をなくすことができる。
【図面の簡単な説明】
【０００９】
【図１】本発明の実施形態にかかわるブロック図
【図２】本発明の実施形態にかかわる撮像装置の前方斜視図
【図３】本発明の実施形態にかかわる撮像装置の上方断面視図
【図４】本発明の実施形態にかかわる撮像装置での片方の撮像画像図
【図５】本発明の実施形態にかかわる撮像装置でのもう一方の撮像画像図
【図６】本発明の実施形態にかかわる撮像装置での画像処理後の撮影画像図
【図７】本発明の実施形態にかかわるフローチャート
【発明を実施するための形態】
【００１０】
以下に、本発明の好ましい実施の形態を、添付の図面に基づいて詳細に説明する。図１は、本発明の実施形態にかかわるブロック図である。
【実施例１】
【００１１】
以下に、本発明の好ましい実施の形態を、添付の図面に基づいて詳細に説明する。撮像装置１００は、図１に示すように、レンズＡ部１０１、レンズＢ部１０２、画像撮像部２、画像処理部３、圧縮伸張処理部４、表示部１０５、記録再生処理部６、カード制御部７、メモリ１１、メモリ制御部１２、ＣＰＵ１３、操作部１４、画像比較部１５、入出力部１６、電源制御部１７を備えている。
【００１２】
また、各機能ブロックはそれぞれデータバス１８を介して互いにデータ通信可能に接続されている。
【００１３】
このような撮像装置１００において、メモリ１１は、プログラム記憶領域とデータ作業領域を有し、データバス１８を介して各機能ブロックでタイム・シェアリングして使用され、メモリ制御部１２により制御及び管理されている。
【００１４】
ＣＰＵ１３は所定のプログラムを実行すること等により、撮像装置１００全体を統括制御する中央演算処理回路である。
【００１５】
操作部１４はユーザーからのキー操作などに基づいて、ＣＰＵ１３に対して動作指示する機能を有する。
【００１６】
メモリーカード１９は、ＳＤカードやコンパクトフラッシュ（登録商標）等の脱着式のフラッシュメモリーであり、撮影データ及等が記録される。
【００１７】
電源制御部１７は、バッテリ検出回路、ＤＣ−ＤＣコンバータ、通電するブロックを切り替えるスイッチ回路等により構成されており、電池の装着の有無、電池の種類、電池残量の検出を行う。バッテリ２３は、リチウムイオン電池等であり、撮像装置１００に電源を供給する。
【００１８】
画像比較部１５は、レンズＡ部１０１及びレンズＢ部１０２から画像撮像部２によって撮影されたそれぞれの撮影データをデータバス１８を入手し、それぞれの画像を比較し、差異のありなしを比較したうえでデータを画像処理部３に出す。画像処理部３では、画像比較部１５からの比較データを基に、画像の処理を行う。本画像処理部３で処理された画像は圧縮伸長処理部４を介して表示部１０５に表示される。また記録再生処理部６及びカード制御部７を介してメモリーカード部１９に画像データが保存される。
【００１９】
図２は本発明の実施形態における撮像装置の斜視図、図３は本発明の実施形態における撮像装置の上方からの模式図を示している。
【００２０】
本体部１００にはレンズＡ部１０１及びレンズＢ部１０２がレンズ取付け部１０３及び１０４に取りついており、さらにそれぞれのレンズを覆うようにゴースト防止用のフード部１１０が取りついている。レンズＡ部１０１の画角範囲１２０とレンズＢ部１０２の画角範囲１２１は図３に示したように重なっている。
【００２１】
レンズＡ部１０１とレンズＢ部１０２のレンズ間距離は、特に３Ｄ撮影等で迫力のある映像を作る為にはレンズ間距離が狭くし、より画角範囲１２０及び１２１が重なるようにすることが望ましい。
【００２２】
それぞれの画角範囲１２０及び１２１にフード部１１０が写り込まないようにするため、フード部１１０のフード外周部１１０ａに対し、レンズ間に配置されたフード仕切り部１１０ｂは光軸方向への長さを短くする、もしくはほとんど無くしてしまう必要がある。
【００２３】
しかし、前記のようにフード部１１０を構成した場合、例えばそれぞれのレンズの画角範囲１２０，１２１の画角外にある光源１３０が図３の位置に来た場合、レンズＡ部１０１ではフード外周部１１０ａによって光線１３１はカットされるが、レンズＢ部１０２側ではフード仕切り部１１０ｂでは光線１３１をカットすることができずゴーストが発生してしまう。
【００２４】
実際に撮影される画像を図４−６に示す。図４はレンズＡ部１０１を通して取得された画像、図５はレンズＢ部１０２を通して取得された画像となる。
【００２５】
光源１３０が図３の位置にあるため、図５には図４にはない光源１３０によるゴースト２００が発生しており、撮影したい像の一部が見えなくなってしまっている。
【００２６】
このような図５にあるようなゴースト２００を、ゴーストのない図４の画像と比較することにより、最終的な画像図６からゴースト等の影響をなくすことができる。
【００２７】
図７は本実施形における処理のフローチャートである。スタート後、ステップＳ１にて、レンズ１０１及び１０２を通してそれぞれの画像を取得する。ステップＳ２にて、前記取得画像の一部に閾値以上の明るさがあるかどうかを画像比較部１５にて確認し、閾値以上の明るさがない場合、そのまま画像処理部３を通してステップ７にて最終画像を表示、保存する。閾値以上の明るさがあった場合、ステップ３にて画像比較部１５にてそれぞれの画像を比較し、どちらにも同じ位置に閾値以上の明るさがある場合、ステップ４で撮像範囲内に光源があると判断し、そのまま画像処理部３を通してステップ７にて最終画像を表示、保存する。同じ位置にない、もしくは片側にのみある場合、明るい部分はステップ５でゴーストであると判断し、ステップ６にて、明るさの高かった側の画像を低かった方の画像にて補正し、ステップ７にて最終の画像を表示、保存する。
【００２８】
これらを撮影画像に繰り返して行うことにより、フードの構成が難しい２眼カメラにおいても、撮影者の望む画像を得ることができる。
【００２９】
また、本実施形における最終の表示に関しては、それぞれの画像を並列に表示したり、それぞれの画像のうちゴーストと思われるものを強調表示したりして表示してもよい。
また、最終の表示及び保存に関しては、補正した画像を３Ｄ形式にて表示、保存することも可能である。
【００３０】
さらに、本実施形の図では交換可能なレンズとなっているが、本体と一体のレンズでも同様の構成でゴースト防止が可能である。
【００３１】
以上、本発明の好ましい実施形態について説明したが、本発明はこれらの実施形態に限定されず、その要旨の範囲内で種々の変形及び変更が可能である。
【符号の説明】
【００３２】
２‥‥画像撮像部
３‥‥画像処理部
４‥‥圧縮伸張処理部
１５‥‥画像比較部
１００‥‥本体部
１０１‥‥レンズＡ部
１０２‥‥レンズＢ部
１０３‥‥レンズＡ取付け部
１０４‥‥レンズＢ取付け部
１０５‥‥表示部
１１０‥‥フード部
１１０ａ‥‥フード外周部
１１０ｂ‥‥フード仕切り部
１２０‥‥レンズＡ画角範囲
１２１‥‥レンズＢ画角範囲
１３０‥‥光源 
１３１‥‥光線
【図１】
2013162505.tif 000003
【図２】
2013162505.tif 000004
【図３】
2013162505.tif 000005
【図４】
2013162505.tif 000006
【図５】
2013162505.tif 000007
【図６】
2013162505.tif 000008
【図７】
2013162505.tif 000009